(57)【特許請求の範囲】
【請求項１】
１℃当たり１０ｐｐｍ未満の熱膨張率を示す電子印刷配線盤積層物内の補強材用不織アラミドシートにおいて、ポリ（ｍ−フェニレンイソフタルアミド）フィブリドが５から２５重量％そしてｐ−アラミドフロックが７５から９５重量％含まれており、そして２７．１６から１３５．８ｇ／ｍ2（０．８から４．０オンス／平方ヤード）の基本重量、０．５から１．０ｇ／ｃｃの密度および１０秒未満のガーレーヒル多孔度を有する不織アラミドシート。
【請求項２】
０．７から０．９５ｇ／ｃｃの密度を有する請求の範囲１記載の不織アラミドシート。
【請求項３】
ｐ−アラミドフロックがポリ（ｐ−フェニレンテレフタルアミド）である請求の範囲１記載の不織アラミドシート。
【請求項４】
印刷配線盤基質用の高い寸法安定性を示す熱硬化樹脂積層物において、４３から５７重量％量の請求の範囲１または２の不織アラミドシートで補強されている熱硬化樹脂から成る積層物。
【発明の詳細な説明】
発明の背景
電子工学産業は、向上した機能を可能な最低コストで消費者に提供する目的で、高速軽薄短小な製品へと導かれている。このような発展は、半導体材料および加工技術、例えば多層ＩＣ（集積回路）、サブミクロンＩＣ機能および大規模集積などの進展により促進されている。この進展では、包装および相互接続技術が鍵となる支持的役割を果している。包装および相互接続技術に関する材料は、高収率加工、高密度包装、高速シグナル伝播、並びに構成要素の表面取り付けおよび直接付着（ｓｕｒｆａｃｅ  ｍｏｕｎｔ  ａｎｄ  ｄｉｒｅｃｔ  ａｔｔａｃｈ）に関する適合性を支持する必要がある。このような要求に合致させるには、面内ＣＴＥ（膨張率）が低く、寸法安定性が大きく、誘電率が低くそして表面が滑らかな補強材が必要とされている。
ＣＴＥは、特に表面取り付けおよび直接付着のチップ用途における印刷配線盤（ＰＷＢ）基質にとって重要な特性である。このチップ（またはチップ担体）と盤との間のＣＴＥが不適合であると、熱サイクルを行っている間にはんだ接続に亀裂が生じる可能性があることから信頼性に関する問題が生じる。このはんだ接続部に関する信頼性をある程度保証する目的で種々の技術が開発され、例えば「Ｊ」リード、ガルウィングリード（ｇｕｌｌ  ｗｉｎｇ  ｌｅａｄｓ）、鉛チップ担体（ｌｅａｄｅｄ  ｃｈｉｐ  ｃａｒｒｉｅｒｓ）および無鉛チップ担体などが開発された。しかしながら、標準的エポキシ／Ｅ−ガラスまたはポリイミド／Ｅ−ガラスの面内ＣＴＥは高いこと（１３−１８ｐｐｍ／℃）から、はんだ接続部の欠陥がかなり生じていた。構成要素が環境試験に成功裏に生き残るには、８−１０ｐｐｍ／℃の面内ＣＴＥを示す必要がある。
多層ＰＷＢを成功裏に製造するにもまた、層と層のパッド整合、並びに穴を貫通してパッドに至る整合が必要とされている。ＰＷＢを加工している間、積層物材料は、１２０−１５０℃のベークサイクルと短期間の２８０℃の如き高温暴露を含む多数の熱エクスカーション（ｔｈｅｒｍａｌ  ｅｘｃｕｒｓｉｏｎｓ）を経験する。一般に、このような熱暴露が原因でその積層材料に寸法変化が生じる。
通常、そして特に、ｐ−アラミド繊維の場合、この繊維のＣＴＥは樹脂のＣＴＥよりもずっと低い。繊維の特性がその複合体の特性を支配するように樹脂含有量を非常に低くすることで（＜４０重量％）、低いＣＴＥを示す積層物を製造することができる。しかしながら、このような積層物が示す剥離強度は低くそしてこれらは空隙を有していることなどから、信頼できるＰＷＢを得るための全ての特性要求を満足させることはできなくなり、これは、ＰＷＢを製造するに実用的なルートでない。
発明の要約
本発明は、１℃当たり１０ｐｐｍ未満の熱膨張率を示す印刷配線盤積層物内の補強材として有効な不織アラミドシートを提供するものであり、上記シートには、ポリ（ｍ−フェニレンイソフタルアミド）フィブリドが５から２５重量％そしてｐ−アラミドフロックが７５から９５重量％含まれており、そして２７．１６から１３５．８ｇ／ｍ2（０．８から４．０オンス／平方ヤード）の基本重量および０．５から１．０ｇ／ｃｃの密度を有しており、これのガーレーヒル多孔度（Ｇｕｒｌｅｙ  Ｈｉｌｌ  Ｐｏｒｏｓｉｔｙ）は１０秒未満である。
また、印刷配線盤基質に適切な高い寸法安定性を示す熱硬化樹脂積層物も提供し、これは本質的に、４３から５７重量％の量の本発明の不織アラミドシートで補強されている熱硬化樹脂から成っている。
発明の詳細な説明
本発明の積層物に入れる補強材は、熱膨張率（ＣＴＥ）が１℃当たり１０ｐｐｍ未満である不織アラミドシートであり、これを、７５から９５重量％量のｐ−アラミドフロックと５から２５重量％量のポリ（ｍ−フェニレンイソフタルアミド）フィブリドから製造する。フロックは米国特許第４，７２９，９２１号の中で定義されている。パラ−アラミド繊維は非常に高い強度とモジュラスを示す。パラ−アラミド類の例は米国特許第３，８６９，４２９号およびヨーロッパ特許第３３０，１６３号の中に挙げられている。パラ−アラミド類の特定例はポリ（ｐ−フェニレンテレフタルアミド）（ＰＰＤ−Ｔ）およびコポリ（ｐ−フェニレン−３，４’−オキシジフェニレンテレフタルアミド）である。ＰＰＤ−Ｔの繊維は、一般に、米国特許第３，７６７，７５６号に記述されている如きエアーギャップ（ａｉｒ  ｇａｐ）紡糸方法を用いて製造され、そして好適には、米国特許第３，８６９，４３０号に記述されているようにそれの熱処理を行う。好適には、精製していない、即ち製造したままの状態のポリ（ｐ−フェニレンテレフタルアミド）フロックを用いる。加工、例えば精製を行っている間にこれらの繊維に高いせん断力がかかると、これらの繊維に損傷が生じることで、この補強材のＣＴＥに悪影響が生じる。高い配向度および比較的低い結晶度を示すｐ−アラミドフロックを用いるのも好適である。フィブリドは米国特許第４，７２９，９２１号の中で定義されている。
固体濃度が一般に０．００５％から０．０２％の範囲になるような所望比率でこのフロックとフィブリドを水系スラリーとして分散させることによって、シートの製造を行う。このスラリーの精製は行わない。通常手段を用いてこのスラリーから紙を製造することができる。以下に示す実施例では、傾斜ワイヤーデルタホーマー（ｉｎｃｌｉｎｅｄ  ｗｉｒｅ  Ｄｅｌｔａｆｏｒｍｅｒ）（紙製造機）を用いて湿ったシートを生じさせた後、加熱されているドライヤー缶を用いてそれの乾燥を行った。次に、この乾燥させた、基本重量が好適には２７．１６から１３５．８ｇ／ｍ2（０．８から４．０オンス／平方ヤード）のシートを、２本の硬質表面ロールの間でカレンダー加工した。通常用いるカレンダー圧力（ロール間隙圧力）は約５００から２５００ｋｇ／ｃｍであり、ロール温度は約１３０℃から１５０℃である。この紙補強材の密度は０．５から１．０である必要があり、そしてこの紙のガーレーヒル多孔度は１０秒未満である必要がある。
次に、この紙に、高いＴｇ、例えば約１６０℃以上のＴｇを示す樹脂を浸透させる。以下の実施例では、Ｔｇが約１７０℃のエポキシ樹脂系を用い、垂直樹脂浸透タワー（ｖｅｒｔｉｃａｌ  ｐｒｅｐｒｅｇｇｉｎｇ  ｔｏｗｅｒ）上でこれらの紙の浸透を行った。
この補強した複合体が示すＣＴＥは、このシートの関数であると共に樹脂の関数である。ｐ−アラミド組織が示すＣＴＥは通常その樹脂のそれよりもずっと低い。しかしながら、樹脂含有量を低くすると、全体のＣＴＥは低くなるが、他の問題が生じる。積層物の層間接着剤として働く樹脂の量が少なくなることから、剥離強度が小さくなる。樹脂含有量が低いとまた空隙含有量も高くなり、そしてこれらの空隙の中に捕捉されている空気がＰＷＢ加熱時に膨張する時生じる泡生成傾向が増大する。
上で述べたように、印刷配線盤の加工を行っている間の寸法を安定させるには、この紙補強材の密度を約０．５から１．０、好適には０．７から０．９５ｇ／ｃｃにすることが重要である。完全に飽和させる紙の密度が高いと、即ちそれの空隙量が小さいと、必要とされる樹脂の量が少なくなる。これによって全体的ＣＴＥが良好になる、と言うのは、上で述べたように、通常、この樹脂が示すＣＴＥはフロックのそれよりもずっと高いからである。
以下の実施例は本発明を説明するものである。
実施例
約７９から８９重量％がポリ（ｐ−フェニレンテレフタルアミド）のフロック（長さが０．５インチ未満の短繊維）でありそして１１から２１重量％が精製ポリ（ｍ−フェニレンイソフタルアミド）フィブリドである水系スラリーを、固体濃度が０．００５から０．０２％になるように調製した。このフロックとフィブリドの比率を表１に報告する。上に記述したようにして、このスラリーの成形を行って湿ったシートを生じさせた後、乾燥を行った。この表に報告する基本重量（Ｂ．Ｗ．）を示す乾燥シートを、５５４から１６７６ｋｇ／ｃｍの圧力（ロール間隙圧力）でカレンダー加工した。カレンダー加工した後の厚さが表１に報告する如きである紙に関して計算した密度は、表１に報告するように０．５３から０．８７ｇ／ｃｃであった。
上述したように、この紙にエポキシ樹脂を浸透させたが、各品目に関する樹脂含有量を表１に示す。真空プレス内で、９３．４℃（２００°F）、０．５６ｋｇ／ｃｍ2（８ｐｓｉ）で１分間、１７６．８℃（３５０°F）、４２ｋｇ／ｃｍ2（６００ｐｓｉ）で４０分間、２０４．６℃（４００°F）、１４ｋｇ／ｃｍ2（２００ｐｓｉ）で３０分間そして３７．８℃（１００°F）、７ｋｇ／ｃｍ2（１００ｐｓｉ）で５分間から成るプレスサイクル（時間／温度）を用い、各側に２８．３５ｇ（１オンス）の銅箔を置いてその間に１４から１６層の樹脂浸透材を挟んでプレス加工することにより、積層物の製造を行った。この厚い積層物から試験片を切断した後、この銅をエッチングで除去した。デュポン  サーモメカニカルアナライザー（ＤｕＰｏｎｔ  Ｔｈｅｒｍｏｍｅｃｈａｎｉｃａｌ  Ａｎａｌｙｚｅｒ）を用い、機械方向「Ｘ」および横方向「Ｙ」でＣＴＥを測定し、その結果を表１に報告する。
0003663210.tif 000002